【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
ビームダンプにおいて、
エンクロージャであって、前記エンクロージャが、少なくとも１つの光ファイバに接続するように構成され、前記エンクロージャが、少なくとも１つの光ファイバを介して、前記エンクロージャの内部に光を受光するための開口を備えるように構成され、前記光が、前記少なくとも１つの光ファイバを介して、遠隔に配置された光源から前記エンクロージャに伝送される、エンクロージャであって、前記受光した光を前記エンクロージャ内に少なくとも実質的に封じ込めるように構成されるエンクロージャと、
第１のテーパ構造と、
第２のテーパ構造と、を備え、
前記第１のテーパ構造および前記第２のテーパ構造は、前記エンクロージャの内部に配置され、
前記第１のテーパ構造および前記第２のテーパ構造は、前記エンクロージャに受光された光が前記第２のテーパ構造内の開口を通過し、前記第１のテーパ構造に衝突するように構成され、
前記第１のテーパ構造は、前記第１のテーパ構造の表面全体に前記衝突光を拡散すること、前記衝突光を反射すること、前記衝突光を散乱させること、および前記衝突光を吸収することのうちの１つを行うように構成され、
前記第２のテーパ構造は、戻り反射光または戻り散乱光を拡散すること、戻り反射光または戻り散乱光を吸収すること、戻り反射光または戻り散乱光を反射すること、戻り反射光または戻り散乱光を散乱させることのうち少なくとも１つを行うように構成される、ビームダンプ。
【請求項２】
前記エンクロージャが、不透明なエンクロージャである、請求項１に記載のビームダンプ。
【請求項３】
前記エンクロージャが、押し出し成型されたアルミニウムで形成される、請求項１に記載のビームダンプ。
【請求項４】
前記受光した光が、レーザ発振器からの残留励起光、増幅器からの残留励起光、および周波数変換プロセスからの残留光のうちの１つである、請求項１に記載のビームダンプ。
【請求項５】
前記受光した光が、前記エンクロージャの内側表面に衝突する、請求項１に記載のビームダンプ。
【請求項６】
前記エンクロージャの前記内部に配置された少なくとも１つの吸収体をさらに備え、前記少なくとも１つの吸収体が、前記光を吸収するように構成される、請求項１に記載のビームダンプ。
【請求項７】
前記エンクロージャの外側表面に接続された冷却構造をさらに備え、前記冷却構造が、前記エンクロージャの表面温度を下げるように構成される、請求項１に記載のビームダンプ。
【請求項８】
前記内側表面が、前記衝突光を反射すること、前記衝突光を散乱させること、および前記衝突光を吸収することのうちの１つを行うように構成される、請求項５に記載のビームダンプ。
【請求項９】
前記エンクロージャの前記内側表面が、粗面部分、ビードブラストされた部分、金属部分、および光吸収性材料で被覆された部分のうちの少なくとも１つを含む、請求項５に記載のビームダンプ。
【請求項１０】
前記第１のテーパ構造および前記第２のテーパ構造の少なくとも１つが、熱伝導性材料、アルミニウム、銅、ステンレス鋼、金属合金、カーボン、およびグラファイトのうちの１つで形成される、請求項１に記載のビームダンプ。
【請求項１１】
前記第１のテーパ構造および前記第２のテーパ構造の少なくとも１つが、金属、ニッケル、銀および金のうちの１つで少なくとも部分的に被覆される、請求項１に記載のビームダンプ。
【請求項１２】
前記第１のテーパ構造および前記第２のテーパ構造の少なくとも１つが、粗面およびビーズブラスト表面のうちの１つを含む、請求項１に記載のビームダンプ。
【請求項１３】
前記第１のテーパ構造および前記第２のテーパ構造の少なくとも１つが、多角形構造および円錐構造のうちの１つである、請求項１に記載のビームダンプ。
【請求項１４】
前記少なくとも１つの吸収体が、液体吸収体、ガラスで形成された吸収体、メッシュで形成された吸収体、スチールウールで形成された吸収体、カッパーウールで形成された吸収体のうちの１つである、請求項６に記載のビームダンプ。
【請求項１５】
前記冷却構造が、ファン、ヒートパイプ冷却構造、熱電冷却構造、熱放射フィン、および液体冷却構造のうちの１つである、請求項７に記載のビームダンプ。
【請求項１６】
前記光を、選択された発散角で前記第２のテーパ構造を通過させるように、前記第２のテーパ構造の前記開口がサイズ設定される、請求項１に記載のビームダンプ。
【請求項１７】
レーザシステムにおいて、
少なくとも１つの遠隔に配置されたレーザと、
少なくとも１つの光ファイバと、
エンクロージャであって、前記エンクロージャが、前記少なくとも１つの光ファイバに接続されるように構成され、前記エンクロージャが、前記少なくとも１つの光ファイバを介して、前記エンクロージャの内部に光を受光するための開口を備えるように構成され、前記光が、前記少なくとも１つの光ファイバを介して、前記遠隔に配置されたレーザから前記エンクロージャに伝送される、エンクロージャと、
第１のテーパ構造と、
第２のテーパ構造と、を備え、
前記第１のテーパ構造および前記第２のテーパ構造は、前記エンクロージャの内部に配置され、
前記第１のテーパ構造および前記第２のテーパ構造は、前記エンクロージャに受光された光が前記第２のテーパ構造内の開口を通過し、前記第１のテーパ構造に衝突するように構成され、
前記第１のテーパ構造は、前記第１のテーパ構造の表面全体に前記衝突光を拡散すること、前記衝突光を反射すること、前記衝突光を散乱させること、および前記衝突光を吸収することのうちの１つを行うように構成され、
前記第２のテーパ構造は、戻り反射光または戻り散乱光を拡散すること、戻り反射光または戻り散乱光を吸収すること、戻り反射光または戻り散乱光を反射すること、戻り反射光または戻り散乱光を散乱させることのうち少なくとも１つを行うように構成され、
前記エンクロージャが、前記エンクロージャ内に前記受光した光を少なくとも実質的に封じ込めるように構成される、レーザシステム。
【請求項１８】
ビームダンプにおいて、
エンクロージャであって、前記エンクロージャが、少なくとも１つの光ファイバに接続されるように構成され、前記エンクロージャが、少なくとも１つの光ファイバを介して、前記エンクロージャの内部に光を受光するための開口を備えるように構成され、前記光が、前記少なくとも１つの光ファイバを介して、遠隔に配置された光源から前記エンクロージャに伝送される、エンクロージャと、
第１のテーパ構造と、
第２のテーパ構造と、であって
前記第１のテーパ構造および前記第２のテーパ構造は、前記エンクロージャの内部に配置され、
前記第１のテーパ構造および前記第２のテーパ構造は、前記エンクロージャに受光された光が前記第２のテーパ構造内の開口を通過し、前記第１のテーパ構造に衝突するように構成され、
前記第１のテーパ構造は、前記第１のテーパ構造の表面全体に前記衝突光を拡散すること、前記衝突光を反射すること、前記衝突光を散乱させること、および前記衝突光を吸収することのうちの１つを行うように構成され、
前記第２のテーパ構造は、戻り反射光または戻り散乱光を拡散すること、戻り反射光または戻り散乱光を吸収すること、戻り反射光または戻り散乱光を反射すること、戻り反射光または戻り散乱光を散乱させることのうち少なくとも１つを行うように構成され、
少なくとも１つの吸収体であって、前記少なくとも１つの吸収体が、前記エンクロージャの前記内部に配置され、前記第１のテーパ構造と前記第２のテーパ構造との間の体積を実質的に取り囲み、前記少なくとも１つの吸収体が前記光を吸収するように構成される、少なくとも１つの吸収体と、を備え、
前記エンクロージャが、前記エンクロージャ内に前記受光した光を少なくとも実質的に封じ込めるように構成される、ビームダンプ。
【手続補正２】
【補正対象書類名】明細書
【補正対象項目名】発明の名称
【補正方法】変更
【補正の内容】
【発明の名称】ファイバ伝送を伴う低迷光ビームダンプ及びレーザシステム